(57)【要約】【課題】貯水空間形成部材を多段に積み上げて形成される貯水槽における最上段に位置する貯水空間形成部材の上面を平坦にするために用いられる蓋部材であって、保管時や運搬時の取り扱いが容易であり、貯水空間を低減することもなく、かつ、上載荷重が局所的に作用したときでも貯水空間形成部材の逆山形をなす凹所部分に変形を生じさることのない、蓋部材を提供する。【解決手段】蓋部材１００は、格子状のリブ１１１が形成された板状の本体部１００と、本体部１００の下面側に形成され貯水空間形成部材の貯水空間部分の一部に入り込む板状の突起部１３０とを備える。好ましくは、本体部１００の下面に補強用板材１２０を一体に取り付ける。また、好ましくは、板状の突起部１３０は本体部１００に対し着脱自在とする。【選択図】図２
2010133111.tif 000002
【特許請求の範囲】
【請求項１】
貯水空間形成部材を多段に積み上げて形成される貯水槽における最上段に位置する前記貯水空間形成部材の上面を平坦にするための蓋部材であって、該蓋部材は格子状のリブが形成された板状の本体部と該本体部の下面側に形成され前記貯水空間形成部材の貯水空間部分の一部に入り込む板状の突起部とを備えることを特徴とする蓋部材。
【請求項２】
前記本体部の下面に補強用板材を備えることを特長とする請求項１に記載の蓋部材。
【請求項３】
前記突起部は前記本体部に対して着脱自在であることを特徴とする請求項１または２に記載の蓋部材。
【請求項４】
多段に積み上げられた貯水空間形成部材と、最上段に位置する貯水空間形成部材の上面に配置された請求項１ないし３のいずれか一項に記載の蓋部材とを少なくとも備え、前記貯水空間形成部材によって形成される空間部分が貯水空間として利用されることを特徴とする貯水槽。
【発明の詳細な説明】
【技術分野】
【０００１】
本発明は、特に地中に設ける貯水槽の上面を平坦にするために用いられる蓋部材と、それを用いた貯水槽に関する。
【背景技術】
【０００２】
排水能力を上回る規模の降雨が短期間に集中して生じたときに、雨水を一時的に貯水して浸水などの災害を未然に防止する目的で、地中に貯水槽（貯留浸透槽）を設けることが行われる。大規模な貯水槽を設計施工する場合には、コンクリート構造物が適しているが、比較的中小規模の貯水槽を構築する場合や、貯水槽を造る場所の地盤が軟弱地盤の場合に、樹脂材料あるいは金属板等からなる貯水空間形成部材を多段に積み上げ、その周囲を遮水または透水シートで覆った構造の貯水槽とすることが行われる（例えば、特許文献１，２等）。
【０００３】
上記構造の貯水槽で用いられる貯水空間形成部材は、多くの場合、図５に示す貯水空間形成部材１０のように、多数枚の縦方向構造体１１が断面ハ字状にかつ山形をなすようにして連続した形状をなしている。貯水空間形成部材１０は、全体としての上面と下面は実質的に平行をなしており、隣接する縦方向構造体１１の上端縁同士は、長手方向に凹部１５と凸部１６を有する上端面１２で接続し、下端縁同士は、上端面１２に形成された凸部１６の領域が入り込むことのできる開口を有する下端面１３で連続している。貯水空間形成部材１０は、図示のように、９０度向きを変えながら多段に積み上げられて貯水構造体２０とされ、該貯水構造体２０における各縦方向構造体１１の間に存在する空間が、施工後の貯水槽での貯水空間１４として利用される。
【０００４】
そのようにして作られた地中の貯水構造体２０の上面に必要な土盛りがなされ、公園あるいは駐車場などとして利用される。土盛り等の作業を行うときに、作業性を良くするために、積み上げた貯水空間形成部材における最上段の貯水空間形成部材の上面を平坦にすることが求められる。そのため、前記特許文献１では、図５に示すように、最上位の貯水空間形成部材１０における逆山形をなす凹所に、そこを埋める形状であり上端が平坦面をなす埋め込み材２１を挿入するようにしている。また、特許文献２では、多段に積み上げた貯水空間形成部材の上に、折板形状または平板形状の厚さ１ｍｍ以上のステンレス鋼板を配置するようにしている。
【０００５】
【特許文献１】特開平１１−３６３８３号公報
【特許文献２】特開２００８−８０７５号公報
【発明の開示】
【発明が解決しようとする課題】
【０００６】
貯水槽を施工するに際し、地中に掘った窪地に遮水あるいは透水シートを敷き、その中に貯水空間形成部材を多段に積み上げた後、最上段に位置する貯水空間形成部材の上面を平坦にするための作業が行われる。特許文献１に記載される形状の埋め込み材は、貯水空間形成部材における逆山形をなす凹所内に埋め込まれる大きさのものであり、嵩張ることから、発泡樹脂で作ったとしても、保管時や運搬時の取り扱い性が良好ではない。また、最上段の貯水空間形成部材における貯水空間が埋め込み材によって閉鎖されるので、貯水量がその分だけ低下する。
【０００７】
特許文献２に記載される、金属板を貯水空間形成部材の上面に配置する形態は、貯水量の低下は生じないが、金属板は大きく重量物なことから、作業に重機が必要となる。小さく分割することで重機を用いないで施工することができるが、配置後、平坦性を担保するために溶接等の作業が必要となる。また、過度の上載荷重が局所的に作用したときに、その箇所または近傍における貯水空間形成部材の逆山形をなす凹所部分に変形を生じさせることがある。
【０００８】
本発明は、上記のような事情に鑑みてなされたものであり、貯水空間形成部材を多段に積み上げて形成される貯水槽における最上段に位置する貯水空間形成部材の上面を平坦にするために用いられる蓋部材であって、保管時や運搬時の取り扱いが容易であり、貯水空間を低減することもなく、かつ、上載荷重が局所的に作用したときでも貯水空間形成部材の逆山形をなす凹所部分に変形を生じさることのない、蓋部材を提供することを第１の課題とする。また、その蓋部材を備えた貯水槽を提供することを第２の課題とする。
【課題を解決するための手段】
【０００９】
本発明による蓋部材は、貯水空間形成部材を多段に積み上げて形成される貯水槽における最上段に位置する前記貯水空間形成部材の上面を平坦にするための蓋部材であって、該蓋部材は格子状のリブが形成された本体部と該本体部の下面側に形成され前記貯水空間形成部材の貯水空間部分の一部に入り込む板状の突起部とを備えることを特徴とする。
【００１０】
本発明による蓋部材は、本体部は板状であり、そこに格子状のリブが形成されているので、軽量でありながら所要の強度を確保することができる。また、板状の本体部下面側には貯水空間部分の一部に入り込む板状の突起部を備えるのみであり、貯水空間に実質的な変化を生じさせないとともに、蓋部材を全体として軽量化できる。そのために、現場での施工性は良好であり、保管時や運搬時の取り扱いも容易である。さらに、前記板状の突起部が貯水空間部分の一部に入り込むことから、上載荷重が局所的に作用したときに貯水空間形成部材の逆山形をなす凹所部分に変形を生じるのを阻止することができる。
【００１１】
本発明による蓋部材の他の態様では、前記本体部の下面に補強用板材をさらに備える。この補強用板材は上載荷重に直交する面部材として機能するので、蓋部材の上載荷重に対する耐性はさらに向上する。
【００１２】
本発明による蓋部材のさらに他の態様では、前記突起部は前記本体部に対して着脱自在とされている。この態様では、蓋部材を保管あるいは運搬するときに、突起部を本体部から取り外しておくことができ、保管あるいは運搬効率は一層向上する。
【００１３】
本発明は、さらに、多段に積み上げられた貯水空間形成部材と、最上段に位置する貯水空間形成部材の上面に配置された上記の蓋部材とを少なくとも備え、前記貯水空間形成部材によって形成される空間部分が貯水空間として利用されることを特徴とする貯水槽をも開示する。
【００１４】
好ましくは、多段に積み上げられた貯水空間形成部材の周囲は遮水または透水シートで覆われるとともに、蓋部材を配置した貯水空間形成部材の上面側には盛土や砕石の敷き込みが行われ、その上が、公園、道路あるいは駐車場等として利用される。本発明による貯水槽は、雨水を一時的に貯水して浸水などの災害を未然に防止するための貯留浸透槽として有効に用いられる。
【発明の効果】
【００１５】
本発明によれば、保管時や運搬時の取り扱いが容易であり、貯水空間を低減することもなく、かつ、上載荷重が局所的に作用したときでも貯水空間形成部材の逆山形をなす凹所部分に変形を生じさることのない、貯水槽用の蓋部材が得られる。また、それを備えた貯水槽が得られる。
【発明を実施するための最良の形態】
【００１６】
以下、図面を参照しながら、本発明を実施の形態に基づき説明する。図１は貯水空間形成部材を多段に積み上げて形成される貯水構造体の最上段に本発明による蓋部材を配置する状態を説明する斜視図、図２は本発明による蓋部材を説明する図、図３は貯水空間形成部材の上に蓋部材を配置したときの側面図、図４は本発明による貯水槽を用いた貯水排水構造体の一例を説明する図である。
【００１７】
図１において、貯水構造体２０は、図５に基づき説明した貯水構造体２０と構造的に同じものである。従って、同じ部材には同じ符号を付し、説明は省略する。但し、図１に示す貯水構造体２０は、図５に示したものと比較して、より広い面積にわたって構築されている。貯水構造体２０を構成する多段に積み上げた貯水空間形成部材１０における最上段の貯水空間形成部材１０ａの上面の全面には、図２に示す形態の蓋部材１００が配置され、貯水構造体２０の上面を平坦にしている。
【００１８】
この例において、蓋部材１００は、格子状のリブ１１１が形成された板状の本体部１１０と、該本体部１１０の下面に取り付けられた補強用板材１２０と、該本体部１１０の下面側に取り付けられる板状の突起部１３０とを備える。蓋部材１００の厚さは、貯水空間形成部材１０の前記上端面１２に形成される凹部１５の深さとほぼ同じであり、長手方向の両側には、前記凹部１５に入り込む張出部１０２が適数形成されている。
【００１９】
前記板状の突起部１３０は、貯水空間形成部材１０の隣接する縦方向構造体１１、１１と下端面１３で形成される上方が開放した貯水空間１４の、長手方向に直交する断面の形状とほぼ一致する形状を備えており、図示の例で、その上端には、前記本体部１１０内に挿入可能な串歯状領域１３１が形成されている。
【００２０】
前記補強用板材１２０は、本体部１１０の平面視形状と同じ形状であり、熱融着などの適宜の手段で本体部１１０の下面側に一体に取り付けられている。また、補強用板材１２０の適所には、前記板状の突起部１３０の串歯状領域１３１が挿入される開口１２１が適数形成されている。
【００２１】
板状の突起部１３０は、通常は、本体部１１０とは分離した状態とされており、使用時に、図２（ａ）に示すように、その串歯状領域１３１を補強用板材１２０に形成した開口１２１内に挿入することにより、本体部１１０に一体化される。
【００２２】
なお、本発明による蓋部材１００において、本体部１１０のみで所要の強度が得られる場合には、補強用板材１２０を省略することもできる。その場合でも、本体部１１０に形成した格子状のリブ１１１で形成される空間内に串歯状領域１３１を挿入することで、板状の突起部１３０を本体部１１０に着脱自在に取り付けることができる。
【００２３】
蓋部材１００を構成する、本体部１１０、補強用板材１２０、および板状の突起部１３０は、所要の強度を備えることを条件に任意の材料で作ることができる。軽量性と加工性の観点から、非発泡樹脂や繊維強化樹脂の成形品、あるいは軽量金属の成形品であることは好ましい。
【００２４】
上記した貯水空間形成部材１０および蓋部材１００を用いて形成した貯水槽３０の一例を、図４を参照して、その施工手順とともに説明する。最初に、所定幅と所定深さに地表面を掘削し、底面に砕石のような基礎材を入れてレベリング層３１とする。さらに、掘削面に合成ゴムシートのような遮水材３２を配置する。遮水材３２の外側をポリエステル繊維のような材料の保護シート（不図示）を配置することは望ましい。遮水材３２を配置した支持地盤の上に、図１に示すように、多数の貯水空間形成部材１０を多段に配置して、積層構造体２０とする。そして、最上位の貯水空間形成部材１０・・の上に前記した蓋部材１００を配置する。図３に示すように、蓋部材１００を配置することにより、貯水空間形成部材１０・・の上面は平坦面になると共に、貯水空間形成部材１０の隣接する縦方向構造体１１、１１と下端面１３で形成される上方が開放した貯水空間１４内には、蓋部材１００の板状の突起部１３０が入り込み、入り込んだ板状の突起部１３０は、縦方向構造体１１、１１が内側に向けて変形しようとするときに、抵抗体として機能する。
【００２５】
このようにして形成した積層構造体２０とその周囲を覆う遮水材３２で貯水槽３０が構成される。図４に示す例においては、貯水槽３０の側方に集水桝４０が形成され、雨水の流入管４１および流出管４２がそこに接続している。集水桝４０の上面は地表面に達しており、下面は貯水槽３０の下面よりも下方に位置している。また、集水桝４０と貯水槽３０とは、適数の連通孔４３により連通している。
【００２６】
特に荷重を分散させたい場合には、図４に示すように、積層構造体２０の上に床下地シート（不図示）を介してコンクリート床版３３が形成される。コンクリート床版３３の施工に当たっては、積層構造体２０の上表面に、下型枠として機能するポリ塩化ビニル、合成ゴムなどからなる遮水シートを敷き詰め、必要な場合には配筋を行い、また周囲の型枠を設置した後、コンクリートを流し込む。本発明による貯水槽３０では、前記したように、最上位の貯水空間形成部材１０・・の上に蓋部材１００を配置することで、積層構造体２０の上表面は平坦面になっており、コンクリート床版３３の施工はきわめて容易となる。コンクリートの硬化後に、周囲の型枠を取り外すことで、上面側が平坦面となったコンクリート床版３３がレベリング層として形成される。
【００２７】
その後、コンクリート床版３３の上に、土あるいは土砂５０を入れて覆土とし、その上をアスファルト舗装等をすることにより、地表面と同じ高さの盛土貯水構造体Ａとされる。盛土貯水構造体Ａは、その地表面を駐車場などとして有効に利用することができる。アスファルト舗装に代えて、芝生を植えたり、遊歩道を整備することもできる。
【００２８】
上記のような構造の盛土貯水構造体Ａにおいて、例えば設計値を越える車荷重が路面にかかったときのように、過大な上載荷重が作用したときに、積層構造体２０を構成する樹脂材料からなる貯水空間形成部材１０に変形が生じる場合がある。特にその変形は、積層構造体２０を構成する最上位の貯水空間形成部材１０で起こりやすい。
【００２９】
しかし、上記した本発明による貯水槽３０では、積層構造体２０を構成する最上位の貯水空間形成部材１０には前記のように蓋部材１００を取り付けており、さらに蓋部材１００は、前記したように貯水空間形成部材１０の縦方向構造体１１、１１が内側に向けて変形しようとするに抵抗体として機能する板状の突起部１３０を備えているので、貯水空間形成部材１０が変形するのを効果的に阻止することができる。
【００３０】
なお、図４に示した盛土貯水構造体Ａは、本発明による貯水槽３０を用いた貯水排水構造体の一例であって、本発明による貯水槽３０の利用態様がこれに限らないことは、説明を要しない。
【図面の簡単な説明】
【００３１】
【図１】貯水空間形成部材を多段に積み上げて形成される貯水構造体の最上段に本発明による蓋部材を配置する状態を説明する斜視図。
【図２】本発明による蓋部材の一例を説明する図であり、図２（ａ）は下方から見た斜視図、図２（ｂ）は上方から見た斜視図である。
【図３】貯水空間形成部材の上に蓋部材を配置したときの側面図。
【図４】本発明による貯水槽を用いた貯水排水構造体の一例を説明する図。
【図５】従来の貯水槽で用いられている貯水空間形成部材を説明するための図。
【符号の説明】
【００３２】
１０…貯水空間形成部材、
１０ａ…最上段の貯水空間形成部材、
１１…縦方向構造体、
１２…上端面、
１３…下端面、
１４…貯水空間、
１５…上端面の凹部、
１６…上端面の凸部、
２０…貯水構造体、
３０…貯水槽、
１００…蓋部材、
１１０…板状の本体部
１１１…格子状のリブ、
１２０…補強用板材、
１２１…板状の突起部の串歯状領域が挿入される開口、
１３０…板状の突起部、
１３１…串歯状領域、
【図１】
2010133111.tif 000003
【図２】
2010133111.tif 000004
【図３】
2010133111.tif 000005
【図４】
2010133111.tif 000006
【図５】
2010133111.tif 000007